(57)【要約】  この発明は、像の表示の領域を包含するディスプレイデバイスのための人間工学の照明システムに関係する。像の分析器は、像の表示の領域において表示されるための映像の信号の色の情報を決定する。光を放出する手段は、それが、周辺で、像の表示の領域の目視する領域に向かって人間工学の光を放出するための像の表示の領域を囲むように、配される。制御ユニットは、決定された色の情報に対する応答の際に、決定された色の情報に、光を放出する手段によって放出された光を、適合させることによって、光源を制御する。制御することは、放出された人間工学の光の性質へ、表示されるための映像の信号の色の情報を、リンクさせる予め定義された選択規則に従って、行われる。
2010514132.tif 000002
【特許請求の範囲】
【請求項１】
像の表示の領域を包含するディスプレイデバイス用の人間工学の照明システムであって、
−  前記像の表示の領域において表示されるための映像の信号の色の情報を決定するための像の分析器、
−  それが、周辺で前記像の表示の領域を囲むように配された及び前記像の表示の領域の目視する領域に向かって静的な人間工学の光を放出するために適合させられた光を放出する手段、並びに、
−  前記決定された色の情報に対する応答の際に、前記決定された色の情報へ前記光を放出する手段によって放出された光を適合させるための制御ユニット
：を含む、人間工学の照明システムにおいて、
前記適合は、放出されるための静的な人間工学の光へ、表示されるための映像の信号の色の情報をリンクさせる予め定義された選択規則に従って、行われる、人間工学の照明システム。
【請求項２】
請求項１に従った人間工学の照明システムにおいて、
前記光を放出する手段は、周辺で前記表示の領域を囲むライトガイド；前記光が、前記ライトガイド内で伝導させられたものになるように前記ライトガイドの中へと少なくとも一つの波長の光を放出することに適合させられた少なくとも一つの光源；及び、前記ライトガイド内で前記光と相互作用すると共にこのように前記目視する領域に向かって前記ライトガイドの外で光を抽出することに適合させられた外に結合させる構造；を含む、人間工学の照明システム。
【請求項３】
請求項１に従った人間工学の照明システムにおいて、
前記光を放出する手段は、前記像の表示の領域の後方に置かれた光を放出する表面を含む、人間工学の照明システム。
【請求項４】
請求項１に従った人間工学の照明システムを含むディスプレイデバイス。
【請求項５】
請求項４に従ったディスプレイデバイスにおいて、
前記ディスプレイデバイスは、コンピューターのデバイスであると共に前記表示の領域は、コンピューターのモニターである、ディスプレイデバイス。
【請求項６】
像の表示の領域を包含するディスプレイデバイスにおける人間工学の照明システムを動作させる方法であって、
前記人間工学の照明システムは、それが、周辺で前記像の表示の領域を囲むように配された及び前記像の表示の領域の目視する領域に向かって静的な人間工学の光を放出するために適合させられた光を放出する手段を含むと共に、
前記方法は、
−  前記像の表示の領域において表示されるための入ってくる映像の信号の色の情報を決定すること、及び
−  前記決定された色の情報に対する応答の際に、前記決定された色の情報へ前記光を放出する手段によって放出された光を適合させること
：を含む方法において、
前記適合は、放出されるための静的な人間工学の光へ、表示されるための映像の信号の色の情報をリンクさせる予め定義された選択規則に従って、行われる、方法。
【請求項７】
請求項６に従った方法において、
前記予め定義された選択規則は、前記入ってくる映像の信号における明るさの値及び放出されるための前記静的な人間工学の光の明るさの値の間のリンクを含む、方法。
【請求項８】
請求項６に従った方法において、
前記予め定義された選択規則は、前記入ってくる映像の信号における色及び放出されるための前記静的な人間工学の光の色の間のリンクを含む、方法。
【請求項９】
請求項６に従った方法において、
前記予め定義された選択規則は、前記入ってくる映像の信号における明るさ及び色並びに放出されるための前記静的な人間工学の光の明るさ及び色の間のリンクを含む、方法。
【請求項１０】
請求項８に従った方法において、
前記少なくとも第一の及び第二の静的な光の色は、
−  シアン、
−  青味を帯びた色、
−  黄色味を帯びた色、
−  及び同様のもの
：より選択される、方法。
【請求項１１】
コンピューターにおいてランさせられるとき請求項６の方法のステップを実行することを処理ユニットに指示するためのコンピュータープログラム。
【発明の詳細な説明】
【技術分野】
【０００１】
［発明の分野］
本発明は、ディスプレイデバイスのための人間工学の照明システム及び照明システムを動作させる方法に、並びに、このような人間工学の照明システムを含むディスプレイデバイスに、関係する。
【背景技術】
【０００２】
［発明の背景］
作業条件は、今日議論されている問題点の一つである。これが、議論にあるものであってきた人々の一つの群は、コンピューターの使用者である。特に西部の世界における、人々の大部分は、コンピューターの前方において昼間の大部分を費やすのみならず、家においてもまたそうである。これは、しばしば頭痛に至る目における疲れを増加させることができる。
【０００３】
より良好なコンピューターのモニター又はコンピューターのモニターの前方に置かれるための発展途上のフィルターでは、この問題点は、部分的にのみ解決されてきたものである。なおも、多数のコンピューターの使用者は、一日に多数の時間の間コンピューターの前方に座るとき、疲れを患う。従って、この問題を解決するためのさらなる改善についての要望がある。
【発明の概要】
【発明が解決しようとする課題】
【０００４】
［発明の手短な記載］
本発明の目的は、コンピューターの使用者にとって弛緩させられた作業条件を提供することにおける現行の方法を改善することである。
【課題を解決するための手段】
【０００５】
一つの態様に従って、本発明は、
−  前記像の表示の領域において表示されるための映像の信号の色の情報を決定するための像の分析器、
−  それが、周辺で、像の表示の領域を囲むように配された及び像の表示の領域の目視する領域に向かって静的な人間工学の光を放出するために適合させられた光を放出する手段、並びに、
−  決定された色の情報に対する応答の際に、決定された色の情報へ、光を放出する手段によって放出された光、を適合させるための制御ユニット
：を含む、像の表示の領域を包含するディスプレイデバイスのための人間工学の照明システムに関係するが、
それにおいては、適合は、放出されるための静的な人間工学の光へ、表示されるための映像の信号の色の情報をリンクさせる予め定義された選択規則に従って、行われる。
【０００６】
このように、表示の領域の前方に座る観察者に向かってこのような人間工学の光を放出することによって、コンピューターの使用者についての作業条件は、顕著に改善されることになる。本発明のさらなる利点は、人間工学の光の性質、強度、及び／又は色が、表示の領域における像の色／明るさに適合させられるというものである。これは、さらにコンピューターの使用者についての作業条件を改善する。それは、すなわち、このような適合が、されるのではないとすれば、例．表示の領域におけるランニングアプリケーションが、相対的に暗いものであると共に、表示の領域のまわりにおける非常に明るい人間工学の光がるとすれば、反対の効果が、到達させられるようなものである。しかしながら、表示の領域のまわりにおけるこのような相対的な明るい人間工学の光は、ランニングアプリケーション（表示の領域における全体的な色）が、異なるもの、例．青色のもの又は白色のもの、であるとすれば、適切なものであることができるであろう。用語の静的な光で、固定された明るさ、若しくは固定された色、又は固定された明るさ及び色、を有する光が意味される。
【０００７】
一つの実施形態において、光を放出する手段は、周辺で表示の領域を囲むライトガイド；光が、ライトガイド内で伝導させられたものになるようにライトガイドの中へと少なくとも一つの波長の光を放出することに適合させられた少なくとも一つの光源；及び、ライトガイド内で光と相互作用すると共にこのように目視する領域に向かってライトガイドの外で光を抽出することに適合させられた外に結合させる構造；を含む。
【０００８】
このように、このような照明“フレームシステム”を実施することによって、一つの又はより多くの波長の光を放出する均質な光源を発生させることは、可能性のあることであると共に、そこでは光の強度は、ディスプレイデバイスの周囲を、目にとってより弛緩させるものにする実質的に一定のものである。
【０００９】
一つの実施形態において、光を放出する手段は、像の表示の領域の後方に置かれた光を放出する表面を含む。
【００１０】
この光を放出する表面は、例．像の表示の領域の後方における壁である、ことがある。
【００１１】
別の態様に従って、本発明は、上にここで開示されたような人間工学の照明システムを含むディスプレイデバイスに関係する。
【００１２】
一つの実施形態において、ディスプレイデバイスは、コンピューターのデバイスであると共に表示の領域は、コンピューターのモニターである。
【００１３】
なおも別の態様に従って、本発明は、像の表示の領域を包含するディスプレイデバイスに配置された人間工学の照明システムを動作させる方法に関するが、人間工学の照明システムは、それが、周辺で像の表示の領域を囲むように配された及び像の表示の領域の目視する領域に向かって静的な人間工学の光を放出するために適合させられた光を放出する手段を含むと共に、方法は、
−  像の表示の領域において表示されるための入ってくる映像の信号の色の情報を決定すること、及び
−  前記決定された色の情報に対する応答の際に、決定された色の情報へ、光を放出する手段によって放出された光を、適合させること
：を含むが、
それにおいては、適合は、放出されるための静的な人間工学の光へ、表示されるための映像の信号の色の情報をリンクさせる予め定義された選択規則に従って、行われる。
【００１４】
一つの実施形態において、予め定義された選択規則は、入ってくる映像の信号における明るさの値及び放出されるための静的な人間工学の光の明るさの値の間のリンクを含む。
【００１５】
このように、人間工学の光の明るさは、表示の領域における像／内容の明るさに適合させられることができる。
【００１６】
一つの実施形態において、予め定義された選択規則は、入ってくる映像の信号における色及び放出されるための静的な人間工学の光の色の間のリンクを含む。
【００１７】
このように、人間工学の光の色は、表示の領域における像／内容の色（支配的な色）に適合させられることができると共に一つの又はより多くの色であることができる。これは、能動的な、例．ピーク検出器又は平均の色の検出器、のための利用可能な検出器を使用することで内容の全体的な色を導出するための源として合計のモニターの内容を使用することによって実現されることができる。そのとき、この導出された全体的な色は、例．“白色点”及び三つの光の原色（例．赤色、緑色、及び青色への小さいシフト）のような放出された色を備えた色の三角形へ照明システムの原色及び天然の白色点を転換するマトリックスを使用することによって、欲せられた色へ転換されることがある。
【００１８】
一つの実施形態において、予め定義された選択規則は、入ってくる映像の信号における明るさ及び色並びに放出されるための静的な人間工学の光の明るさ及び色の間のリンクを含む。
【００１９】
一つの実施形態において、放出された人間工学の光の色は、
−  シアン、
−  青味を帯びた色、
−  黄色味を帯びた色、
−  及び同様のもの
：より選択された静的な色である。
【００２０】
なおまた別の態様に従って、本発明は、プロダクトがコンピューターにおいてランさせられるとき上に述べられた方法のステップを実行することを処理ユニットに指示するためのコンピュータープログラムプロダクト。
【００２１】
本発明の態様は、各々、他の態様のいずれのものとも組み合わせられることがある。当該発明のこれらの及び他の態様は、下文に記載された実施形態から明らかなものである及びそれらに対する参照と共に解明されると思われる。
【図面の簡単な説明】
【００２２】
【図１】図１は、本発明に従った像の表示の領域を包含するディスプレイデバイスのための人間工学の照明システムを示す。
【図２】図２は、本発明に従った方法のフローチャートを示す。
【発明を実施するための形態】
【００２３】
［図面の手短な記載］
当該発明の実施形態は、図面に対する参照と共に、ほんの一例として、記載されることになるが、それらにおいて、
図１は、本発明に従った像の表示の領域を包含するディスプレイデバイスのための人間工学の照明システムを示すと共に、
図２は、本発明に従った方法のフローチャートを示す。
【００２４】
［実施形態の記載］
図１は、本発明に従った像の表示の領域１０９を包含するディスプレイデバイス１０８のための人間工学の照明システム１００を示す。人間工学の照明システム１００は、像の表示の領域において表示されるための映像の信号の色の情報を決定するための像の分析器１０１、それが周囲で像の表示の領域１０９を囲むと共に像の表示の領域の目視する領域に向かって静的な人間工学の光を放出することに適合させられるように配置された配された光を放出する手段（Ｌ＿Ｓ）１０２、及び、決定された色の情報に対する応答において、入ってくる映像の信号から決定された色の情報に、光を放出する手段（Ｌ＿Ｓ）１０２によって放出された光を、適合させるために適合させられた制御ユニット（Ｃ＿Ｕ）１０３を含む。制御することは、メモリ（Ｍ）１０４に記憶された予め定義された選択規則に従って行われるが、そこでは、選択規則は、放出された人間工学の光の性質に、表示させられるための映像の信号の色の情報をリンクする。
【００２５】
放出する手段（Ｌ＿Ｓ）１０２によって放出されるためのデフォルトの色が、シアン又は青色と同様の色であることを仮定することで、そのとき、例．三角形の上部のかどが、緑色のＥＢＵ（ヨーロッパ放送連合＿ＥＢＵ）の原色へ、放出する手段（Ｌ＿Ｓ）１０２によって放出されたデフォルトの色からわずかにシフトさせられるように、この色のまわりの小さい三角形を定義することは、好適なことであるかもしれない。三角形の下部の左のかどは、青色のＥＢＵの原色へ、放出する手段（Ｌ＿Ｓ）１０２によって放出されたデフォルトの色からわずかにシフトさせられるかもしれないと共に、下部の右のかどは、赤色のＥＢＵの原色に向かって他のものと比べてデフォルトの色からより多くわずかにシフトさせられるかもしれない。
【００２６】
一度、例．ＥＢＵの三角形の内にある、ところの三角形（それは、その上、ＥＢＵの三角形と同じ色の範囲に及ぶことがある）が、定義されると、“マッピング”は、大きいＥＢＵの三角形から小さい三角形までの線形のマッピングであることがある。このように、この場合には、メモリ（Ｍ）１０４に記憶された選択規則は、このマッピングを行うところの関数、例．線形のマッピングを行うところの線形の関数、であることがある。それに応じて、最初に、モニターの内容の全体的な色は、導出される（ピーク、平均、など）と共に、その後、（ＥＢＵの三角形にフィットするところの）この色は、より小さい三角形にフィットするために転換される。この転換は、また、類似の物事をする、例．ＥＢＵの三角形の左の下部のかどにおける色が、小さい三角形の左の下部のかどにマッピングされる、ルックアップテーブルから導出されることができるであろう。
【００２７】
一つの実施形態において、選択規則は、光を放出する手段１０２によって放出されるための光の色の情報へ、検出された色の情報をリンクさせる表の形態にあるものである。これは、例．入ってくる映像の信号における全体的な内容の、例．明るさの値（Ｙ値）が、人間工学の光の好適な明るさと関連させられる（又はリンクさせられる）ことを意味する。同じ方式において、クロミナンスの色の平面、又はＲＧＢの色の平面、のような、色は、人間工学の光のものであるために好適な色と関連させられる。同じ方式において、入ってくる映像の信号の色及び明るさは、人間工学の光の好適な明るさ及び色と関連させられる。このようなテーブル又は規則のセットの発生は、好ましくは、実験又は経験に基礎が置かれた専門家であることが相互にされたものである。これらの専門家は、目の医師であることができるであろう。このように、特定の色が、表示の領域（コンピューターのモニター）に表示されるとき、大部分の便利な色は、放出される。用語の便利なによって、目に最小の疲れを引き起こす色は、意味される。同じことは、強度、並びに、強度及び色の組み合わせ、について当てはまる。このように、例．表示された色が、青色であるとすれば、同じ強度の青色味を帯びた色を放出することは、好適なことであるかもしれないと共に、表示された像における色が、黒色であるとすれば、暗い青色味を帯びた色又は紫色の色を放出することは、好適なことであるかもしれない。例として、表示されるための像における色の構成成分を考慮することで、表示の領域１０９における色及び人間工学の光の色の間ではるかに対比する必要がないことは、関連性のあることであるかもしれない、例．表示の領域における背景の像が、黒色であるとすれば、例．（日中の間に窓の前方におけるコンピューターのモニターを置くことと類似の）白色の色を使用することの代わりに、相対的に暗いもの、例．青色又は青色味を帯びた色、である色の構成成分をリンクさせることは、好適なことであるかもしれない。また、表示の領域１０９に表示された像の強度及び人間工学の光の強度の間の類似性を有することは、好適なことであるかもしれない。決定は、ちょうどその上、例．異なる表示の色及び／又は表示の強度に対するレンズの反応をモニターすることによって、自動的にされたものであることができるであろう。
【００２８】
また、選択規則は、例．特別な色に向かって又は特別な強度に向かって敏感なものである個々の使用者に対して適合させられるかもしれない。
【００２９】
一つの実施形態において、表示の領域１０９の像の内容が、変化するとき、光を放出する手段１０２からの放出された光は、予め定義されることができる、いくらかの期間にわたって適合させられる。これは、ディスプレイデバイス、例．コンピューター、の使用者が、オフィスのアプリケーションを変化させる（例．ワードからエクセルへ切り換えること）が、しかし、代わりに新しい像の内容へゆっくりと適合するとはいえ、突然に変化するものではない人間工学の光を予防するためのものである。このように、像の内容が、白色の色が、黒色の背景にわたって背景において支配的な色である（例．ワード文書）ところから、変化するとすれば、適合は、例．明るい青色味を帯びた色から暗い青色味を帯びた色まで、ゆっくりと起こるであろう。好ましくは、この適合の時間は、使用者が、ほとんど、適合に注意しないことになるように、目の反応に基づいて最適化される。
【００３０】
一つの実施形態において、光を放出する手段１０２は、少なくとも一つの光源、例．少なくとも一つの波長の光を放出することができるＬＥＤ及び例．周囲で表示の領域１０９を囲む透明な材料で作られた薄いライトガイド１０５（例．数ミリメートルのもの）、及び、光がライトガイド内に伝導させられたものになるようにライトガイドの中へと少なくとも一つの波長の光を放出する発光ダイオード（ＬＥＤ）のような光源、を含む。この実施形態において、ライトガイド１０５は、さらに、ライトガイド内で光と相互作用すると共にこのように目視する領域に向かって、即ち、ディスプレイの前方に座る使用者１０６に向かって、ライトガイドの外に光を抽出することに適合させられた外に結合させる構造（例．白色のドット又は溝）が提供される。他の種類のフレームシステム又は同様のものは、もちろん、可能性のあるものである。別の実施形態において、光を放出する手段は、表示の領域１０９の後方に置かれた表面、例．輸送可能な表面、又は、表示の領域１０９の後方における壁である。
【００３１】
図２は、本発明に従った方法のフローチャート、像の表示の領域を包含するディスプレイデバイスに配置された人間工学の照明システムを動作させることの方法、それが、周辺で、像の表示の領域の目視する領域に向かって静的な人間工学の光を放出するための像の表示の領域を囲むように配された光を放出する手段を含む人間工学の照明システム、を示す。
【００３２】
像の表示の領域において表示されるための入ってくる映像の信号の色の情報は、決定された（Ｓ１）２０１色の情報である。色の情報は、像の表示の領域において表示されるための色、例．ＲＧＢの色の構成成分又はＵＶのクロミナンスの構成成分、表示されるための像の強度（ＹＵＶドメインからのＹの値）、又は、色及び強度の構成成分の組み合わせを包含することがある。
【００３３】
決定された色の情報は、今、光を放出する手段によって放出された光を制御する（Ｓ２）２０２ための制御パラメーターとして使用されるが、それにおいて、制御することは、放出された人間工学の光の性質へ、表示されるための映像の信号の色の情報をリンクする前記の予め定義された選択規則（Ｓ３）２０３に従って行われる。
【００３４】
開示された実施形態のある一定の具体的な詳細は、本発明の明りょうな及び徹底的な理解をすることを提供するように、限定よりもむしろ説明の目的のために述べられる。しかしながら、本発明が、この開示の主旨及び範囲から顕著に逸脱することなく、ここで述べられた詳細に正確に準拠するものではない他の実施形態において実用化されるかもしれないことは、当業者によって、理解されるべきである。さらに、この文脈において、並びに、簡潔さ及び明りょうさの目的のために、周知の装置、回路、及び方法論の詳細な記載は、不必要な詳細及び可能性のある混乱を回避するように、省略されてきたものである。
【００３５】
参照符号は、請求項に包含されるが、しかしながら、参照符号の包含は、明りょうさの理由のためのみのものであると共に、請求項の範囲を限定するものとして解釈されないものであるべきである。
【図１】
2010514132.tif 000003
【図２】
2010514132.tif 000004
【国際調査報告】
2010514132.tif 000005
2010514132.tif 000006
2010514132.tif 000007